(57)【要約】【課題】壁体の厚薄に関わらず、壁体に対する鴨居のチリを均等にすることができる引き戸装置、引き戸吊り下げ装置、及び引き戸装置の施工方法を提供する。【解決手段】本実施の形態に係る引き戸装置１は、上吊り式の引き戸装置１において、壁体５に設けられている開口５０の上縁部に下側からネジ（留めネジ２７）を用いてネジ留めされている鴨居２と、該鴨居２に下側から前記ネジとは別体のネジ（留めネジ３８）を用いてネジ留めされている案内レール３と、該案内レール３から、横移動可能に吊り下げられている引き戸４とを備え、前記鴨居２は、軸長方向を上下方向とする筒状のナット２５を、下方への脱落不可に保持しており、前記ナット２５の軸長方向の一端部に、外向きに張り出すフランジ２５１が周設されており、該フランジ２５１は前記鴨居２から露出しており、前記別体のネジは前記ナット２５に螺合していることを特徴とする。【選択図】図３
2020073783.tif 000002
【特許請求の範囲】
【請求項１】
上吊り式の引き戸装置において、
壁体に設けられている開口の上縁部に下側からネジを用いてネジ留めされている鴨居と、
該鴨居に下側から前記ネジとは別体のネジを用いてネジ留めされている案内レールと、
該案内レールから、横移動可能に吊り下げられている引き戸と
を備え、
前記鴨居は、軸長方向を上下方向とする筒状のナットを、下方への脱落不可に保持しており、
前記ナットの軸長方向の一端部に、外向きに張り出すフランジが周設されており、
該フランジは前記鴨居から露出しており、
前記別体のネジは前記ナットに螺合していることを特徴とする引き戸装置。
【請求項２】
前記鴨居には、上下方向に貫通する挿入孔、及び、該挿入孔の開口位置を含めて上面に形成された収容凹部が設けられ、前記ナットを、軸長方向の他端部を下向きとして前記挿入孔に挿入し、前記フランジを前記収容凹部に収容して前記鴨居に保持させてあることを特徴とする請求項１に記載の引き戸装置。
【請求項３】
前記ナットは、前記鴨居に係止することによって共回りを防止する回り止めを有することを特徴とする請求項１又は２に記載の引き戸装置。
【請求項４】
前記鴨居の下面には、前記鴨居の長さ方向に延びるレール嵌込溝が設けられており、
前記案内レールは、前記レール嵌込溝に嵌め込まれていることを特徴とする請求項１から３の何れか一項に記載の引き戸装置。
【請求項５】
前記案内レールは、
前記鴨居に接触する接触部と、
該接触部に連続し、前記鴨居をネジ留めする前記ネジのネジ頭を回避するための回避部と
を有することを特徴とする請求項１から４の何れか一項に記載の引き戸装置。
【請求項６】
前記鴨居は木材であり、
前記鴨居をネジ留めする前記ネジはトラスネジであることを特徴とする請求項１から５の何れか一項に記載の引き戸装置。
【請求項７】
引き戸を吊り下げる引き戸吊り下げ装置において、
壁体に設けられている開口の上縁部に下側からネジを用いてネジ留めされる鴨居と、
該鴨居に下側から前記ネジとは別体のネジを用いてネジ留めされ、前記引き戸を横移動可能に吊り下げる案内レールと
を備え、
前記鴨居は、軸長方向を上下方向とする筒状のナットを、下方への脱落不可に保持し、
前記ナットの軸長方向の一端部に、外向きに張り出すフランジが周設されており、
該フランジは前記鴨居から露出し、
前記別体のネジは前記ナットに螺合することを特徴とする引き戸吊り下げ装置。
【請求項８】
上吊り式の引き戸装置の施工方法において、
鴨居と、軸長方向の一端部に、外向きに張り出すフランジが周設されている筒状のナットとを準備し、
前記鴨居に、前記ナットを、軸長方向を上下方向とし、前記フランジが前記鴨居から露出し、且つ下方への脱落不可に保持させ、
壁体に設けられている開口の上縁部に、ネジを用いて下側から前記鴨居をネジ留めし、
該鴨居に、前記ネジとは別体のネジを前記ナットに螺合させることによって、下側から案内レールをネジ留めし、
前記案内レールに、横移動可能に引き戸を吊り下げることを特徴とする引き戸装置の施工方法。
【発明の詳細な説明】
【技術分野】
【０００１】
本発明は、上吊り式の引き戸装置、引き戸吊り下げ装置、及び引き戸装置の施工方法に関する。
【背景技術】
【０００２】
建築物の壁体に設けられた開口を開閉するために、従来、上吊り式の引き戸装置が用いられている（特許文献１，２参照）。
引き戸、案内レール、及び鴨居を備えている引き戸装置の場合、引き戸は案内レールから吊り下げられている。案内レールは、鴨居の下側に重ねられて、鴨居と共に、壁体の開口の上縁部にネジを用いて下側から共締めされている。
【０００３】
例えば引き戸装置が片引き戸型である場合、開口の開放時に引き戸に重なる袖壁が設けられる。引き戸と袖壁との干渉を避けるために、案内レールは、鴨居の幅方向の一側に取り付けられ、袖壁は鴨居の幅方向の他側に配される。
【先行技術文献】
【特許文献】
【０００４】
【特許文献１】特開平９−１６５９６６号公報
【特許文献２】特開平１０−２８０７８８号公報
【発明の概要】
【発明が解決しようとする課題】
【０００５】
引き戸装置の美観を向上させるためには、壁体に対する鴨居のチリ（壁体の一面及び他面夫々からの鴨居の突出量）を均等にすることが望ましい。
ところが、壁体が薄い場合、チリを均等にすると、鴨居及び案内レールを共締めするネジを、壁体の厚み方向中央部付近にネジ込むことができない場合がある。この場合、鴨居及び案内レールを十分な締め付け強度で壁体にネジ留めすることができないという問題が生じる。
そこで、引き戸装置を施工する作業者は、鴨居の配置位置を壁体の厚み方向にずらすことで問題に対処する。しかしながら、この対処ではチリが不均等になるので、引き戸装置の美観が損なわれる。
【０００６】
本発明は斯かる事情に鑑みてなされたものであり、その主たる目的は、壁体の厚薄に関わらず、壁体に対する鴨居のチリを均等にすることができる引き戸装置、引き戸吊り下げ装置、及び引き戸装置の施工方法を提供することにある。
【課題を解決するための手段】
【０００７】
本実施の形態に係る引き戸装置は、上吊り式の引き戸装置において、壁体に設けられている開口の上縁部に下側からネジを用いてネジ留めされている鴨居と、該鴨居に下側から前記ネジとは別体のネジを用いてネジ留めされている案内レールと、該案内レールから、横移動可能に吊り下げられている引き戸とを備え、前記鴨居は、軸長方向を上下方向とする筒状のナットを、下方への脱落不可に保持しており、前記ナットの軸長方向の一端部に、外向きに張り出すフランジが周設されており、該フランジは前記鴨居から露出しており、前記別体のネジは前記ナットに螺合していることを特徴とする。
【０００８】
本実施の形態に係る引き戸装置は、前記鴨居には、上下方向に貫通する挿入孔、及び、該挿入孔の開口位置を含めて上面に形成された収容凹部が設けられ、前記ナットを、軸長方向の他端部を下向きとして前記挿入孔に挿入し、前記フランジを前記収容凹部に収容して前記鴨居に保持させてあることを特徴とする。
【０００９】
本実施の形態に係る引き戸装置は、前記ナットは、前記鴨居に係止することによって共回りを防止する回り止めを有することを特徴とする。
【００１０】
本実施の形態に係る引き戸装置は、前記鴨居の下面には、前記鴨居の長さ方向に延びるレール嵌込溝が設けられており、前記案内レールは、前記レール嵌込溝に嵌め込まれていることを特徴とする。
【００１１】
本実施の形態に係る引き戸装置は、前記案内レールは、前記鴨居に接触する接触部と、該接触部に連続し、前記鴨居をネジ留めする前記ネジのネジ頭を回避するための回避部とを有することを特徴とする。
【００１２】
本実施の形態に係る引き戸装置は、前記鴨居は木材であり、前記鴨居をネジ留めする前記ネジはトラスネジであることを特徴とする。
【００１３】
本実施の形態に係る引き戸吊り下げ装置は、引き戸を吊り下げる引き戸吊り下げ装置において、壁体に設けられている開口の上縁部に下側からネジを用いてネジ留めされる鴨居と、該鴨居に下側から前記ネジとは別体のネジを用いてネジ留めされ、前記引き戸を横移動可能に吊り下げる案内レールとを備え、前記鴨居は、軸長方向を上下方向とする筒状のナットを、下方への脱落不可に保持し、前記ナットの軸長方向の一端部に、外向きに張り出すフランジが周設されており、該フランジは前記鴨居から露出し、前記別体のネジは前記ナットに螺合することを特徴とする。
【００１４】
本実施の形態に係る引き戸装置の施工方法は、上吊り式の引き戸装置の施工方法において、鴨居と、軸長方向の一端部に、外向きに張り出すフランジが周設されている筒状のナットとを準備し、前記鴨居に、前記ナットを、軸長方向を上下方向とし、前記フランジが前記鴨居から露出し、且つ下方への脱落不可に保持させ、壁体に設けられている開口の上縁部に、ネジを用いて下側から前記鴨居をネジ留めし、該鴨居に、前記ネジとは別体のネジを前記ナットに螺合させることによって、下側から案内レールをネジ留めし、前記案内レールに、横移動可能に引き戸を吊り下げることを特徴とする。
【００１５】
本実施の形態にあっては、壁体に設けられている開口の上縁部に鴨居がネジ留めされ、この鴨居に案内レールがネジ留めされる。故に、鴨居のネジ留め位置を、案内レールの配置位置とは無関係に決定することができる。従って、壁体の厚薄に関わらず、壁体に対する鴨居のチリを均等にすることができる。
【００１６】
本実施の形態にあっては、鴨居に保持されているナットと、案内レールを鴨居に留めるネジとが螺合する。故に、ネジが鴨居に直接的にネジ込まれる場合よりも、鴨居に対する案内レールの取り付け強度を高めることができる。
【００１７】
本実施の形態にあっては、挿入孔及び収容凹部が鴨居に設けられている。挿入孔にはナットが挿入され、ナットが有するフランジは、収容凹部の内面によって支持される。つまり、鴨居は簡易な構成でナットを保持することができる。
ナットのフランジは収容凹部に収容される。故に、フランジが壁体に干渉して鴨居のネジ留めを阻害する虞がない。
【００１８】
本実施の形態にあっては、ナットが回り止めを有している。故に、案内レールのネジ留めの際にネジとナットとが共回りする虞がない。従って、案内レールのネジ留めの作業性を向上させることができる。
【００１９】
本実施の形態にあっては、案内レールが、鴨居に設けられているレール嵌込溝に嵌め込まれている。故に、案内レールを目隠しすることができる。従って、引き戸装置の美観を向上させることができる。
【００２０】
本実施の形態にあっては、回避部が設けられているので、鴨居をネジ留めするネジのネジ頭が案内レールに干渉して案内レールのネジ留めを阻害する虞がない。
【００２１】
本実施の形態にあっては、木材（無垢材又は木質材）である鴨居をネジ留めする場合に、トラスネジが使用される。トラスネジのネジ頭は大きく、鴨居の座面に全面で接触するので、トラスネジの締め付け力を分散することができる。この結果、トラスネジの締め付けに伴う鴨居の損傷を抑制しつつ、鴨居を強固にネジ留めすることができる。
【００２２】
本実施の形態にあっては、鴨居を壁体にネジ留めした後で、案内レールを鴨居にネジ留めするという手順で、本実施の形態の引き戸装置が施工される。
仮に、案内レールを鴨居にネジ留めした後で鴨居を壁体にネジ留めする場合、鴨居にネジ留めされている案内レールが、鴨居のネジ留め作業を阻害する虞がある。
つまり、本実施の形態の手順で施工すれば、鴨居のネジ留め作業の作業性を向上させることができる。
【発明の効果】
【００２３】
本実施の形態の引き戸装置、引き戸吊り下げ装置、及び引き戸装置の施工方法による場合、鴨居のネジ留め位置を、案内レールの配置位置とは無関係に決定することができる。従って、壁体の厚薄に関わらず、壁体に対する鴨居のチリを均等にすることができる。この結果、引き戸装置の美観を向上させることができる。
【図面の簡単な説明】
【００２４】
【図１】実施の形態１に係る引き戸装置の構成を略示する正面図である。
【図２】引き戸装置の構成を略示する断面図である。
【図３】図２の要部拡大図である。
【図４】引き戸装置が備える鴨居、及び壁体の構成を略示する正面図である。
【図５】鴨居の構成を略示する斜視図である。
【図６】図５の要部拡大図である。
【図７】鴨居のネジ留めを説明する斜視図である。
【図８】引き戸装置が備える案内レールのネジ留めを説明する断面図である。
【図９】引き戸装置が備える案内レールのネジ留めを説明する斜視図である。
【図１０】実施の形態２に係る引き戸装置の構成を略示する正面図である。
【図１１】実施の形態３に係る引き戸装置が備える案内レールのネジ留めを説明する断面図である。
【発明を実施するための形態】
【００２５】
以下、本発明を、その実施の形態を示す図面に基づいて詳述する。
【００２６】
実施の形態  １．
図１は、実施の形態１に係る引き戸装置の構成を略示する正面図である。図２は、引き戸装置の構成を略示する断面図である。図３は、図２の要部拡大図であり、引き戸装置の上部の構成を示している。
図中１は上吊り式の引き戸装置である。引き戸装置１は、鴨居２、案内レール３、及び引き戸４を備えている。鴨居２は、建築物の壁体５にネジ留めされている。案内レール３は、鴨居２にネジ留めされている。引き戸４は、案内レール３から吊り下げられている。案内レール３に沿って引き戸４が横移動することにより、壁体５に設けられている開口５０が開閉される。
【００２７】
図４は、鴨居２、及び壁体５の構成を略示する正面図である。
図５は、鴨居２の構成を略示する斜視図である。
図６は、図５の要部拡大図である。
まず、図４を参照しつつ、壁体５の構成について述べる。
壁体５の両面は、壁板５１，５２によって覆われている（図３参照）。壁板５１，５２夫々は、例えば外面が化粧シートに覆われた石膏ボードである。
【００２８】
図４に示すように、開口５０は縦長の矩形状をなす。壁体５は、２本の柱５３，５３及びまぐさ５４を更に備えている。開口５０の周縁部は、柱５３，５３、まぐさ５４、及び建築物の床Ｆによって構成されている。
各柱５３は、矩形断面を有する棒材である。柱５３は、例えば木材（無垢材又は木質材）である。柱５３は、床Ｆに垂直に立てられている。柱５３，５３は、左右方向に離隔配置されている。柱５３，５３には、まぐさ５４が架け渡されている。
まぐさ５４は、矩形断面を有する棒材である。まぐさ５４は、例えば木材である。まぐさ５４は、床Ｆに平行である。まぐさ５４は、開口５０の上縁部を構成している。
【００２９】
次に、引き戸装置１の構成について述べる。
図５に示すように、鴨居２は、矩形断面を有する棒材である。鴨居２の幅は、鴨居２の長さ方向の一端部から中央部まで狭く、長さ方向の中央部から他端部まで広い。図６は、鴨居２の幅狭側の長さ方向端部を示している。
【００３０】
図３及び図６に示すように、鴨居２の一面２ａには、コ字溝状のレール嵌込溝２１が設けられている。一面２ａは、鴨居２をまぐさ５４にネジ留めする場合に下面となすべき面である。
レール嵌込溝２１は、鴨居２の全長に亘って延びている。
レール嵌込溝２１の内底面には、レール嵌込溝２１の全長に亘って、コ字溝２２が設けられている。コ字溝２２は、レール嵌込溝２１の幅方向中央部に配されている。
【００３１】
鴨居２には、挿入孔２３が設けられている。挿入孔２３は、一面２ａと一面２ａの裏側の他面２ｂとの対面方向に鴨居２を貫通する。挿入孔２３の一方の開口は、コ字溝２２の内底面における幅方向中央部に位置している。挿入孔２３は複数個、鴨居２の長手方向に適長離隔して並設されている。
【００３２】
他面２ｂには、鴨居２の全長に亘って、コ字溝状の収容凹部２４が設けられている。収容凹部２４の幅は、レール嵌込溝２１の幅より狭く、コ字溝２２の幅より広い。収容凹部２４は、コ字溝２２の裏側に位置している。挿入孔２３の他方の開口は、収容凹部２４の内底面における幅方向中央部に位置している。
【００３３】
鴨居２は、ナット２５を保持している。
ナット２５は円筒状をなす。ナット２５の軸長方向一端部には、外向きに張り出すフランジ２５１が周設されている。
ナット２５は、収容凹部２４側から挿入孔２３に挿入されている。ナット２５の軸長方向他端部は、挿入孔２３に収容され、フランジ２５１は、収容凹部２４に収容されている。フランジ２５１は、収容凹部２４の内底面における挿入孔２３の開口周縁に係合している。フランジ２５１の厚みと収容凹部２４の深さとは同程度である。故に、収容凹部２４に収容されたフランジ２５１の外面は、鴨居２の他面２ｂと面一である。
フランジ２５１は、複数個の爪２５２，２５２，…を有する。各爪２５２は、収容凹部２４の内底面に食い込んでいる。爪２５２，２５２，…は、鴨居２に係止する回り止めである。
【００３４】
鴨居２には、ネジ通し孔２６が設けられている。ネジ通し孔２６は、レール嵌込溝２１の内底面から、鴨居２の他面２ｂまで貫通している。ネジ通し孔２６は、コ字溝２２及び収容凹部２４夫々よりも、鴨居２の幅広側の長さ方向端部における幅方向中心側に設けられている。ネジ通し孔２６は複数個、長手方向に適長離隔して並設されている。
【００３５】
図７は、鴨居２のネジ留めを説明する斜視図である。
引き戸装置１を施工する作業者は、鴨居２をまぐさ５４にネジ留めする。
鴨居２のネジ留めのために、作業者は、一面２ａを下側に向け、鴨居２の幅狭側の長さ方向端部を左側に向ける。
次に、作業者は、チリ（壁体５の壁板５１，５２夫々からの鴨居２の突出量）を均等にして、鴨居２の他面２ｂをまぐさ５４の下面に押し当てる。各ネジ通し孔２６は、まぐさ５４の下面における幅方向（壁体５の厚み方向）の非端部に臨む。
【００３６】
次いで、作業者は、留めネジ２７，２７，…を用いて、まぐさ５４に下側から鴨居２をネジ留めする。各留めネジ２７は、ネジ通し孔２６，２６，…を下側から貫通して、まぐさ５４に適切にネジ込まれる。故に、鴨居２を十分な締め付け強度でまぐさ５４にネジ留めすることができる。従って、鴨居２のまぐさ５４からの脱落を抑制することができる。
【００３７】
鴨居２にはネジ通し孔２６，２６，…が設けられているので、鴨居２のネジ留めに際して、鴨居２におけるネジ留め位置を作業者が容易に把握することができる。
特に、鴨居２が工場で製造され、工場出荷時にネジ通し孔２６，２６，…が予め鴨居２に設けられている場合には、作業者が鴨居２におけるネジ留め位置を決定する必要がない。
【００３８】
図３及び図７に示すように、留めネジ２７はトラスネジであることが望ましい。トラスネジのネジ頭は大きく、鴨居２の座面に全面で接触する。故に、留めネジ２７の締め付け力を分散することができる。この結果、留めネジ２７の締め付けに伴う鴨居２の損傷を抑制しつつ、鴨居２を強固にネジ留めすることができる。
【００３９】
図３に示すように、挿入孔２３は鴨居２を上下に貫通している。挿入孔２３の上面（他面２ｂ）には、挿入孔２３…の開口位置を含めて収容凹部２４が形成されている。
まぐさ５４にネジ留めされた鴨居２は、軸長方向を上下方向とするナット２５を、下方への脱落不可に保持している。ナット２５は、軸長方向一端部に設けられているフランジ２５１が収容凹部２４に収容され、軸長方向の他端部を下向きとして挿入孔２３に挿入されることによって、鴨居２に保持されている。ナット２５のフランジ２５１が収容凹部２４の内底面に係合しているので、ナット２５の下方への脱落を防止することができる。
ナット２５のフランジ２５１は、鴨居２の他面２ｂから上側に突出していない。従って、フランジ２５１がまぐさ５４に干渉して鴨居２のネジ留めを阻害する虞がない。
【００４０】
図１、図４、及び図５に示すように、引き戸装置１は、縦枠６１，６２を更に備える。縦枠６１，６２夫々は、例えば木材である。
縦枠６１は、矩形断面を有する棒材である。縦枠６１の一面６１ａには、戸じゃくり６１１が設けられている。戸じゃくり６１１は、縦枠６１の全長に亘る矩形溝状をなす。
縦枠６２は、矩形断面を有する棒材である。縦枠６２の一面６２ａには、戸じゃくり６２１が設けられている。戸じゃくり６２１は、縦枠６２の全長に亘る矩形溝状をなす。縦枠６２の一面６２ａは、縦枠６１の一面６１ａよりも幅広である。
【００４１】
縦枠６１は、鴨居２に対して縦勝ちに配される。縦枠６１は、一面６１ａの上端部を鴨居２の幅狭側の長さ方向端面に対面させ、一面６１ａの裏面を左側の柱５３の右面に対面させて、左側の柱５３に右側からネジ留めされる。
同様に、縦枠６２は、鴨居２に対して縦勝ちに配される。縦枠６２は、一面６２ａの上端部を鴨居２の幅広側の長さ方向端面に対面させ、一面６２ａの裏面を右側の柱５３の左面に対面させて、右側の柱５３に左側からネジ留めされる。
縦枠６１の戸じゃくり６１１と縦枠６２の戸じゃくり６２１とは左右方向に対向配置される。
【００４２】
図８は、案内レール３のネジ留めを説明する断面図である。図９は、同斜視図である。
図３、図８、及び図９に示すように、案内レール３は、中空の二等辺三角形状の断面を有する棒材である。案内レール３は、例えばアルミニウム製である。
案内レール３の底辺部分には、案内レール３の全長に亘って、スリット３１が設けられている。スリット３１は、案内レール３の幅方向中央部に配されている。
【００４３】
案内レール３の頂点部分には、案内レール３の全長に亘って、接触部３２が設けられている。接触部３２の外面は、適幅に亘って平坦化されている。
接触部３２の幅方向中央部には、ネジ通し孔３３が設けられている。ネジ通し孔３３はスリット３１に臨む。ネジ通し孔３３は複数個、案内レール３の長さ方向に適長離隔して並設されている。
【００４４】
案内レール３の内面には、車輪受け３４，３４が設けられている。車輪受け３４，３４は、スリット３１の幅方向両側に１つずつ配されている。各車輪受け３４は溝状をなす。車輪受け３４は、案内レール３の全長に亘っている。
以下では、案内レール３の２等辺部分を、傾斜部３５，３６という。傾斜部３５は、接触部３２の幅方向一側に連続しており、傾斜部３６は、接触部３２の幅方向他側に連続している。
【００４５】
案内レール３の底辺部分における傾斜部３５側の端部には、垂下片３７が突設されている。垂下片３７の突設方向は、接触部３２の外面に直交し、且つ、接触部３２から離隔する方向である。垂下片３７は、案内レール３の全長に亘っている。
【００４６】
鴨居２のネジ留め後、作業者は、案内レール３を鴨居２にネジ留めする。
案内レール３のネジ留めのために、作業者は、案内レール３をレール嵌込溝２１に下側から嵌め込む。この場合、作業者は、案内レール３の長手方向両端部を左右両側に向け、スリット３１を下側に向け、垂下片３７を、鴨居２の幅広側の長さ方向端部における幅方向中心側に向ける。
更に、作業者は、接触部３２の外面（上面）を、鴨居２に接触させる。接触部３２は、コ字溝２２の開口を覆って、レール嵌込溝２１の内底面に接触する。ネジ通し孔３３，３３，…は、コ字溝２２を通して、挿入孔２３，２３，…に臨む。傾斜部３５は、留めネジ２７，２７，…の下側に配される。ナット２５のフランジ２５１の外面（上面）は、接触部３２の外面と面一なので、鴨居２に接触する。
【００４７】
案内レール３をレール嵌込溝２１に嵌め込んだ後、作業者は、複数個の留めネジ３８，３８，…を用いて、鴨居２に案内レール３を下側からネジ留めする。この場合、各留めネジ３８は、ネジ通し孔３３を下側から貫通して、挿入孔２３に挿入されているナット２５に螺合する。
案内レール３のネジ留めの際に、留めネジ３８とナット２５とが共回りする虞はない。何故ならば、爪２５２，２５２，…が鴨居２に係止しているからである。また、下側から外力を受けたナット２５が上側に位置ずれする虞はない。何故ならば、爪２５２，２５２，…が鴨居２に係止している上に、フランジ２５１が収容凹部２４の内底面とまぐさ５４の下面との間に挟まれているからである。以上の結果、案内レール３のネジ留めの作業性を向上させることができる。
【００４８】
案内レール３は、ナット２５，２５，…に螺合する留めネジ３８，３８，…により鴨居２にネジ留めされている。故に、案内レール３が、鴨居２に直接的にねじ込まれるネジによって鴨居２にネジ留めされている場合に比べて、より大きな締め付け強度で案内レール３を鴨居２にネジ留めすることができる。従って、案内レール３の鴨居２からの脱落を抑制することができる。
【００４９】
図に示す留めネジ３８は皿ネジである。故に、案内レール３の内面におけるネジ通し孔３３の内周面には、皿ザグリが設けてある。留めネジ３８のネジ頭は、ネジ通し孔３３の皿ザグリに沈むので、留めネジ３８のネジ頭が接触部３２の内面（下面）よりも下側に突出することはない。この結果、留めネジ３８が後述する戸車４４の横移動を阻害する虞はない。
【００５０】
案内レール３にはネジ通し孔３３，３３，…が設けられているので、案内レール３のネジ留めに際して、案内レール３におけるネジ留め位置を作業者が容易に把握することができる。
特に、案内レール３が工場で製造され、工場出荷時にネジ通し孔３３，３３，…が予め案内レール３に設けられている場合には、作業者が案内レール３におけるネジ留め位置を決定する必要がない。
【００５１】
傾斜部３５，３６は、接触部３２から幅方向両側へ、レール嵌込溝２１の内底面から離隔する向きに傾斜している。故に、レール嵌込溝２１の内底面と傾斜部３５，３６との間には空隙が形成されている。
各留めネジ２７のネジ頭は、レール嵌込溝２１の内底面と傾斜部３５との間に配されている。留めネジ２７と案内レール３とは接触していない。即ち、傾斜部３５は、留めネジ２７のネジ頭を回避するための回避部として機能する。従って、留めネジ２７のネジ頭が案内レール３に干渉して案内レール３のネジ留めを阻害する虞がない。
【００５２】
図１及び図２に示すように、引き戸４は矩形平板状をなす。
引き戸４の一面における一方の長辺部には、引き手４１が取り付けられている。引き戸４の他面における一方の長辺部にも、引き手４１が取り付けられている。引き手４１，４１は、引き戸４の厚み方向に対向配置されている。
引き戸４の長手方向一端側の端面には、案内溝４２が設けられている。案内溝４２は、引き戸４の短手方向に長い。
引き戸４の長手方向他端側の端部には、凹状の戸側連結部４３が設けられている。引き戸４は戸側連結部４３を２個有する。戸側連結部４３，４３は、引き戸４の戸先側及び戸尻側に１個ずつ配されている。
【００５３】
作業者は、引き戸４を案内レール３から吊り下げる。このために、作業者は、案内レール３のネジ留め前に、案内レール３に戸車４４を取り付ける。また、作業者は、床Ｆに案内突起４５を取り付ける。
【００５４】
図３に示すように、戸車４４は、２個１組の車輪４４１，４４１と、支持部４４２と、車側連結部４４３とを備える。
各車輪４４１は、支持部４４２によって回転可能に支持されている。車輪４４１，４４１は、支持部４４２を介在して、車輪４４１，４４１の回転軸方向に対向配置されている。支持部４４２には、２個の車輪４４１，４４１が複数組、回転軸に直交する方向に適長離隔して並置されている。
車側連結部４４３は、支持部４４２から突出している。車側連結部４４３の突出方向は、車輪４４１，４４１の回転軸方向及び複数組の車輪４４１，４４１，…の並置方向夫々に対して直交している。車側連結部４４３の先端部４４ａは、戸側連結部４３に嵌め込み可能である。車側連結部４４３の先端部４４ａが戸側連結部４３に嵌め込まれることによって、車側連結部４４３と戸側連結部４３とが連結される。
【００５５】
案内レール３に戸車４４を取り付ける場合、作業者は、戸車４４の車輪４４１，４４１，…及び支持部４４２を案内レール３の内部に挿入して、車輪４４１，４４１，…を車輪受け３４，３４に載置する。また、作業者は、スリット３１を通して車側連結部４４３を案内レール３の外部に突出させる。以上の結果、戸車４４は、案内レール３に案内されて横移動（左右移動）可能に案内レール３に取り付けられる。
戸車４４は、案内レール３に２個取り付けられる。従って、２個の戸車４４，４４が案内レール３の長手方向に並置される。
【００５６】
図２に示すように、案内突起４５は、平板４５１と突起本体４５２とを有する。突起本体４５２は円柱状をなし、平板４５１の一面に垂直に突設されている。
作業者は、突起本体４５２を上向きにして、平板４５１を床Ｆにネジ留めする。突起本体４５２は、案内レール３のスリット３１に臨む。また、突起本体４５２は、開口５０の左右方向中央部に配される。
【００５７】
作業者は、引き戸４の引き手４１，４１側を縦枠６１側に向け、引き戸４の案内溝４２に案内突起４５の突起本体４５２を挿入する。次いで、作業者は、引き戸４の戸側連結部４３，４３と戸車４４，４４の車側連結部４４３，４４３とを連結する。
以上の結果、引き戸４は、図１及び図２に示すように、案内レール３から吊り下げられる。且つ、引き戸４は、案内レール３に沿って横移動可能である。
【００５８】
図２及び図５に示すように、引き戸装置１は、中方立６３及び袖壁パネル１１を更に備える。
作業者は、鴨居２に中方立６３を取り付ける。
中方立６３は、矩形断面を有する棒材である。中方立６３の一側面は、縦枠６２の一面６２ａに対面する。中方立６３の一端部は、鴨居２の段部にネジ留めされる。鴨居２、縦枠６１，６２、及び中方立６３は、下向きに開放されたＥ字状の枠体を形成する。
作業者は、鴨居２、中方立６３、縦枠６２、及び床Ｆに囲繞された空間に、袖壁パネル１１を配置する。袖壁パネル１１は矩形平板状をなす。袖壁パネル１１は、鴨居２、中方立６３、縦枠６２、及び床Ｆに取り付けられる。袖壁パネル１１は、開口５０の概ね右半分を閉塞する。
【００５９】
使用者が引き戸４を左側へ移動させることによって、引き戸４の戸先が戸じゃくり６１１に嵌め込まれると、開口５０が閉鎖される。一方、使用者が引き戸４を右側へ移動させることによって、引き戸４の戸尻が戸じゃくり６２１に嵌め込まれるまで開口５０が開放される。
案内溝４２と案内突起４５との係合により、戸車４４，４４を中心とする引き戸４の揺動が抑制される。
引き戸４と袖壁パネル１１及び中方立６３夫々との間には、案内レール３から垂下する垂下片３７が配されている。故に、引き戸４の揺動に伴う引き戸４と袖壁パネル１１又は中方立６３との接触が抑制される。
【００６０】
以上のような引き戸装置１によれば、まぐさ５４に鴨居２がネジ留めされ、この鴨居２に案内レール３がネジ留めされる。故に、鴨居２のネジ留め位置を、案内レール３の配置位置とは無関係に決定することができる。従って、壁体５の厚薄に関わらず、壁体５に対する鴨居２のチリを均等にすることができる。
また、案内レール３がレール嵌込溝２１に嵌め込まれているので、案内レール３を目隠しすることができる。
以上の結果、引き戸装置１の美観を向上させることができる。
【００６１】
本実施の形態の引き戸装置１の施工方法によれば、案内レール３は、鴨居２をまぐさ５４にネジ留めした後で、鴨居２にネジ留めされる。
何故ならば、鴨居２をまぐさ５４にネジ留めする前に、案内レール３を鴨居２にネジ留めした場合、ネジ通し孔２６，２６，…が案内レール３によって覆われてしまうからである。
仮に、案内レール３を部分的に切り欠いてネジ通し孔２６，２６，…を露出させた場合、案内レール３の車輪受け３４も切り欠かれる虞がある。すると、車輪受け３４の切り欠き部分を車輪４４１，４４１，…が乗り越える都度、騒音が発生する上に、引き戸４の円滑な横移動が阻害される。
【００６２】
ところで、引き戸装置１には、引き戸４を吊り下げる引き戸吊り下げ装置７が含まれている。引き戸吊り下げ装置７は、少なくとも鴨居２及び案内レール３を備えた状態で、例えば工場から出荷される。鴨居２は、例えばナット２５，２５，…を保持した状態で、留めネジ２７，２７，…と共に施工現場に供給される。案内レール３は、留めネジ３８，３８，…と共に施工現場に供給される。
【００６３】
なお、引き戸装置１は、ナット２５を用いて案内レール３を鴨居２にネジ留めする構成に限定されない。例えば、ネジを直接的に鴨居２にネジ込むことによって案内レール３が鴨居２にネジ留めされてもよい。
【００６４】
ナット２５は、フランジ２５１を有していない構成でもよい。フランジ２５１を有していない場合、鴨居２に収容凹部２４を設ける必要はない。換言すれば、鴨居２は、フランジ２５１と収容凹部２４の内底面との係合とは異なる手段でナット２５を保持してもよい。
鴨居２によるナット２５の保持は、例えば、挿入孔２３の内周面に、ナット２５の周縁部を下側から支持する支持段部が設けられていることによるものであってもよい。又は、外周面に雄ネジを有するナット２５が、挿入孔２３にネジ込まれることによるものであってもよい。
収容凹部２４は、コ字溝状に限定されない。例えば、収容凹部２４は、挿入孔２３毎に設けられた挿入孔２３の同心円状でもよい。
【００６５】
ナット２５の回り止めは、例えば挿入孔２３の内周面とナット２５と外周面との間に注入された室温硬化型の接着剤でもよい。
鴨居２は、レール嵌込溝２１又はコ字溝２２が設けられていない構成でもよい。
工場出荷時の鴨居２には、ネジ通し孔２６，２６，…が設けられていなくてもよい。この場合、作業者は、引き戸装置１の施工時に、ネジ通し孔２６，２６，…を形成する。このために、工場出荷時の鴨居２に、ネジ通し孔２６，２６，…の配置位置を決定するための目印（例えばレール嵌込溝２１の内底面に形成された溝）が設けられていてもよい。
【００６６】
案内レール３の回避部は、傾斜部３５に限定されず、例えば留めネジ２７のネジ頭を収容可能な凹部であってもよい。
案内レール３は、従来の引き戸装置を構成する案内レールを流用したものでもよい。
鴨居２は木材に限定されない。案内レール３はアルミニウム製に限定されない。
【００６７】
次に、実施の形態２，３を説明する。実施の形態２，３の引き戸装置１は、実施の形態１の引き戸装置１と略同様の構成である。以下では、実施の形態１との差異について説明し、その他、実施の形態１に対応する部分には同一符号を付してそれらの説明を省略する。
【００６８】
実施の形態  ２．
図１０は、実施の形態２に係る引き戸装置１の構成を略示する正面図である。図１０は、実施の形態１の図１に対応する。
壁体５は、壁板５１，５２と、２本の金属柱５５，５５及び金属梁５６とを備えている。
【００６９】
各金属柱５５は、床Ｆに垂直な棒材である。金属柱５５は、例えば鉄製である。金属柱５５，５５は、左右方向に離隔配置されている。
左側の金属柱５５の右側部は、被覆板材５５１によって覆われている。被覆板材５５１に覆われた金属柱５５は、開口５０の左縁部を構成している。
右側の金属柱５５の左側部は、被覆板材５５２によって覆われている。被覆板材５５２に覆われた金属柱５５は、開口５０の右縁部を構成している。
金属柱５５，５５には、金属梁５６が架け渡されている。
金属梁５６は、床Ｆに平行な棒材である。金属梁５６は、例えば鉄製である。金属梁５６の下部は、被覆板材５６１によって覆われている。被覆板材５６１に覆われた金属梁５６は、開口５０の上縁部を構成している。
【００７０】
被覆板材５５１，５５２，５６１夫々は、例えば平板状の木材である。
引き戸装置１の鴨居２は被覆板材５６１にビス留めされる。縦枠６１，６２は被覆板材５５１，５５２にビス留めされる。
【００７１】
金属柱５５，５５及び金属梁５６には、縦枠６１，６２及び鴨居２を直接的にビス留めすることができない場合がある。この場合、作業者は、引き戸装置１の施工に先立って、金属柱５５，５５及び金属梁５６に被覆板材５５１，５５２，５６１を取り付ける。被覆板材５５１，５５２，５６１は、例えば作業者が施工現場で適宜の板材から形成したものである。
金属柱５５，５５及び金属梁５６と縦枠６１，６２及び鴨居２との間に被覆板材５５１，５５２，５６１を介在させることによって、作業者は、実施の形態１と同様に引き戸装置１を施工することができる。
【００７２】
実施の形態  ３．
図１１は、実施の形態３に係る引き戸装置１が備える案内レール３のネジ留めを説明する断面図である。図１１は、実施の形態１の図８に対応する。
本実施の形態の案内レール３は、中空の矩形状の断面を有する棒材である。
鴨居２に設けられているレール嵌込溝２１の内底面には、ネジ頭収容溝２８が設けられている。ネジ頭収容溝２８は、鴨居２の全長に亘っている。ネジ頭収容溝２８は、コ字溝２２及び収容凹部２４夫々よりも、鴨居２の幅広側の長さ方向端部における幅方向中心側に設けられている。ネジ通し孔２６は、ネジ頭収容溝２８の内底面から、鴨居２の他面２ｂまで貫通している。
【００７３】
留めネジ２７のネジ頭は、ネジ頭収容溝２８に収容される。この場合、留めネジ２７のネジ頭は、レール嵌込溝２１の内部に突出しない。故に、留めネジ２７と案内レール３とは接触していない。従って、留めネジ２７のネジ頭が案内レール３に干渉して案内レール３のネジ留めを阻害する虞がない。
なお、鴨居２には、ネジ通し孔２６毎に深ザグリが設けられていてもよい。この場合、留めネジ２７のネジ頭は深ザグリに沈むので、留めネジ２７のネジ頭が案内レール３に干渉することがない。
【００７４】
実施の形態１〜３の引き戸装置１は片引き戸型であるが、これに限定されない。引き戸装置１は、例えば引き違い戸型又は両引き戸型でもよい。
【００７５】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、引き戸装置１又は引き戸装置１の施工方法に、実施の形態１〜３に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００７６】
１      引き戸装置
２      鴨居
２１    レール嵌込溝
２３    挿入孔
２４    収容凹部
２５    ナット
２５１  フランジ
２５２  爪（回り止め）
２７    留めネジ（ネジ，トラスネジ）
３      案内レール
３２    接触部
３５    傾斜部（回避部）
３８    留めネジ（ネジ）
４      引き戸
【図１】
2020073783.tif 000003
【図２】
2020073783.tif 000004
【図３】
2020073783.tif 000005
【図４】
2020073783.tif 000006
【図５】
2020073783.tif 000007
【図６】
2020073783.tif 000008
【図７】
2020073783.tif 000009
【図８】
2020073783.tif 000010
【図９】
2020073783.tif 000011
【図１０】
2020073783.tif 000012
【図１１】
2020073783.tif 000013